(57)【要約】【課題】本発明は、視力が弱い者にも十分な地図情報を提供できる立体地図装置の提供を目的とする。【解決手段】本発明の立体地図装置は、立体地図３と、立体地図３の所定箇所に設けられる少なくとも１つの操作部材Ｐ１からＰ１６と、操作部材Ｐ１からＰ１６に電気的に接続される制御回路４５と、制御回路４５に接続される電子機器４９と、を備え、制御回路４５は、操作部材Ｐ１からＰ１６が地図使用者によって操作されたことを検知して、制御信号を電子機器４９に送信する制御信号送信機能を有し、電子機器４９は制御信号に対応する音声情報を出力する音声情報出力機能を有する。【選択図】図２
2019139112.tif 000002
【特許請求の範囲】
【請求項１】
立体地図装置であって、
立体地図と、
前記立体地図の所定箇所に設けられる少なくとも１つの操作部材と、
前記操作部材に電気的に接続される制御回路と、
前記制御回路に接続される電子機器と、を備え、
前記制御回路は、前記操作部材が地図使用者によって操作されたことを検知して、制御信号を前記電子機器に送信する、制御信号送信機能を有し、
前記電子機器は、前記制御信号に対応する音声情報を出力する、音声情報出力機能を有する立体地図装置。
【請求項２】
前記操作部材は、前記立体地図の所定箇所に少なくとも２つ設けられている、請求項１に記載の立体地図装置。
【請求項３】
前記所定箇所は、前記立体地図における特異的地形または所定の施設に対応した場所である、請求項２に記載の立体地図装置。
【請求項４】
前記電子機器は、スピーカ、コンピュータ、携帯電話端末およびタブレット端末の少なくともいずれか１つである、請求項１から請求項３のいずれか一項に記載の立体地図装置。
【請求項５】
前記立体地図には、通路に対応する場所に点字ブロックを模した凸部材が設けられ、前記操作部材は前記凸部材の近傍に設けられている、請求項１から請求項４のいずれか一項に記載の立体地図装置。
【発明の詳細な説明】
【技術分野】
【０００１】
本発明は、種々の情報を提供することができる立体地図装置に関する。
【背景技術】
【０００２】
従来、ほとんどの地図は平面的なものであった。地図の使用者は、その平面的な地図の模様、記号、文字などから、視覚情報として地図情報を取得していた。しかしながら、視力が弱い者は、平面的な地図からは十分な地図情報を得ることができない場合がある。
【０００３】
視力が弱い者でも、地図から種々の地図情報を取得できるようにするために、音声によって情報を提供する発明が提案されている（特許文献１）。この発明は、地図の所定個所に突起を形成し、この突起を指などで押すことによって、突起位置の音声情報を登録し、また音声を再生出力できる機能を有している。
【先行技術文献】
【特許文献】
【０００４】
【特許文献１】特開２００３−１４０５４６号公報
【発明の概要】
【発明が解決しようとする課題】
【０００５】
しかしながら、特許文献１の発明で用いられる地図は平面的なものである。このため、施設や地形などを具体的に認識するのが困難であった。そこで本発明は、立体的な地図と音声出力機能を組み合わせることで、視力の弱い者でも、十分な地図情報を取得でき、施設や地形を具体的に認識できる立体地図装置を提供することを目的とする。
【課題を解決するための手段】
【０００６】
本発明は、立体地図装置であって、立体地図と、立体地図の所定箇所に設けられる少なくとも１つの操作部材と、操作部材に電気的に接続される制御回路と、制御回路に接続される電子機器とを備えている。制御回路は、操作部材が地図使用者によって操作されたことを検知して、制御信号を電子機器に送信する、制御信号送信機能を有し、電子機器は、制御信号に対応する音声情報を出力する音声情報出力機能を有している。
【０００７】
以上のような構成により、視力が弱い者が立体地図に指で触れることにより、施設や特異的な地形などを感じ取ることができる。そして、各施設等の近傍には、操作部材が設けられており、使用者がこの操作部材に触れることができる。使用者が操作部材に触れると、制御信号が電子機器に送信され、その操作部材に対応する音声情報が出力される。これにより、視力が弱い者であっても、事前に立体地図装置で施設や地形の場所や種類を学ぶことができ、実際に施設を利用したりする場合に戸惑うことがない。
【発明の効果】
【０００８】
本発明の立体地図装置は、視力の弱い者が事前に施設や地形を覚えるのに役立つ。
【図面の簡単な説明】
【０００９】
【図１】本発明の一実施形態に係る立体地図装置に用いる立体地図の斜視図である。
【図２】本発明の一実施形態に係る立体地図装置の平面図である。
【図３】図２に開示した立体地図装置の制御回路および操作部材を示す概略図である。
【図４】使用者が操作部材に触れた状態を示す概略図である。
【発明を実施するための形態】
【００１０】
本発明の立体地図装置の実施形態を、図面を参照しながら以下に説明する。なお、説明において、共通する部分は同じ符号を付し、重複する説明は適宜省略する。
【００１１】
［立体地図の概要］
図１に示すように、本発明の実施形態に係る立体地図装置１は、鉄道駅を模した立体地図３を備えている。この立体地図３は、連絡階段５を介して下層階３ａと上層階３ｂとに分かれている。下層階３ａには、第１出入口７ａが設けられている。第１出入口７ａから駅構内へは下層自由通路９ａが形成されている。下層自由通路９ａの左右両側には、店舗１１を模した模型が配置されている。
【００１２】
下層自由通路９ａの右側には、エスカレータ１３を模した模型が配置されている。また、下層自由通路９ａの左側には、在来線改札口１５を模した模型が配置されている。在来線改札口１５の近傍には、階段１７を模した模型が２つ配置されている。また、２つの階段１７の間には、トイレ１９を模した模型が配置されている。在来線改札口１５を入った正面左側には、在来線待合室２１を模した模型が配置されている。
【００１３】
下層自由通路９ａの正面には、連絡階段５を模した模型が配置されている。連絡階段５の近傍には、エレベータ２３を模した模型が配置されている。連絡階段５を上がった上層階３ｂには、上層自由通路９ｂが形成されている。上層自由通路９ｂの右側には、観光案内所２５を模した模型が配置されている。また、上層自由通路９ｂの左側には、旅行代理店２７および有人の乗車券売場２９を模した模型がそれぞれ配置されている。
【００１４】
上層自由通路９ｂの正面には、第２出入口７ｂが設けられている。また、乗車券売場２９の隣には、新幹線改札口３１を模した模型が配置されている。新幹線改札口３１の隣には、コンビニエンスストア３３を模した模型が配置されている。新幹線改札口３１を入った正面には、トイレ３５を模した模型が配置されている。そのトイレ３５の左右両側には、階段３７を模した模型が配置されている。
【００１５】
新幹線改札口３１の左右両側にも、階段３９を模した模型が配置されている。また、新幹線改札口３１から入って右側には、新幹線待合室４１を模した模型が配置されている。さらに、新幹線改札口３１から入って左側には、在来線乗換口４３を模した模型が配置されている。
【００１６】
［操作部材の配置］
次に、図２に基づいて、例として操作部材Ｐ１からＰ１３の配置について説明する。本実施形態の操作部材Ｐ１からＰ１３は、導電性のピンからなる。操作部材Ｐ１からＰ１３は、立体地図３の各施設に対応した場所に配置されている。図２において、操作部材Ｐ１は、第１出入口７ａに配置されている。操作部材Ｐ２，Ｐ３は、店舗１１の近傍に配置されている。操作部材Ｐ４は、在来線改札口１５の外側近傍に配置されている。操作部材Ｐ５は、在来線改札口１５の内側近傍に配置されている。また、操作部材Ｐ６は、在来線改札口１５に隣接した階段１７の近傍に配置されている。
【００１７】
操作部材Ｐ７は、乗車券売場２９の近傍に配置されている。操作部材Ｐ８は、新幹線改札口３１の外側近傍に配置されている。操作部材Ｐ９は、新幹線改札口３１の内側近傍に配置されている。操作部材Ｐ１０は、在来線乗換口４３の近傍に配置されている。また、操作部材Ｐ１１は、コンビニエンスストア３３の近傍に配置されている。操作部材Ｐ１２は、第２出入口７ｂの近傍に配置されている。その他、操作部材Ｐ１３は、連絡階段５の近傍に配置されている。なお、本実施形態では、操作部材Ｐ１からＰ１３として、導電性のピンを用いているが、後述の制御回路４５に制御信号を送信できるものであれば、所定のスイッチなどを用いてもよい。
【００１８】
［制御回路］
次に、図３に基づいて、制御回路４５について説明する。本実施形態の制御回路４５は、デジタル回路である。制御回路４５には、３番から９番および１４番から１６番の、合計９個の入力端子Ｔ３からＴ９およびＴ１４からＴ１６が設けられている。そして、各入力端子に導線Ｌ３からＬ９およびＬ１４からＬ１６を介して９個の操作部材（ピン）Ｐ３からＰ９およびＰ１４からＰ１６が接続されている。すなわち、本実施形態の制御回路４５は、９チャネルの制御信号を出力することができる。制御信号は、ＵＳＢ端子４７から後述の電子機器４９へ出力できるようになっている。ＧＮＤ端子ＴＧは、接地されている。
【００１９】
次に、各操作部材（ピン）Ｐ３からＰ９およびＰ１４からＰ１６と制御回路４５の機能を簡単に説明する。ここでは、パルス出力端子Ｔ２と、３番から５番の入力端子Ｔ３からＴ５を例にして説明する。パルス出力端子Ｔ２からは、一定周期で矩形波状のパルス信号が出力されている。そして、パルス出力端子Ｔ２から出力されるパルス信号の立ち上がりと、各入力端子Ｔ３からＴ５に入力されるパルス信号の立ち上がりが計測される。
【００２０】
パルス出力端子Ｔ２と各入力端子Ｔ３からＴ５と間には抵抗Ｒ３からＲ５が設けられている。使用者が操作部材Ｐ３からＰ５に触れていない状態では、各入力端子Ｔ３からＴ５にはパルス出力端子Ｔ２のパルス信号の立ち上がりから所定時間遅れて矩形波状のパルス信号が入力される。一方、図４に示すように、使用者が３番のピンＰ３に触れた場合、当該使用者がキャパシタとなる。このため、入力端子Ｔ３に入力されるパルス信号の立ち上がりが鈍り、矩形波状のパルスではなくなる。制御回路４５は、当該パルスの立ち上がりの変化を検出し、使用者が３番の操作部材Ｐ３に触れたことを検知する。
【００２１】
ＵＳＢ出力端子４７からは、使用者が３番の操作部材Ｐ３に触れたという制御信号が出力される。制御信号は、電子機器４９に送られる。電子機器４９にはソフトウェアが組み込まれており、３番の操作部材Ｐ３に対応した音声情報を出力する。例えば、３番の操作部材Ｐ３が店舗に対応するものである場合は、「店舗です」という音声情報を出力する。
【００２２】
［電子機器］
電子機器４９としては、コンピュータが用いられている。電子機器４９は、制御回路４５と接続するためのインターフェースを備えている。また、電子機器は、スピーカ（図示略）を備えている。このため、制御回路４５から送られた制御信号に対応した音声情報を出力することができる。なお、電子機器４９としては、コンピュータに限定されるものではなく、携帯電話端末、タブレット端末あるいはスピーカなどを用いてもよい。また、これらを組み合わせるように、複数の電子機器４９を備えるようにしてもよい。
【００２３】
［作用］
図２に戻り、本実施形態に係る立体地図装置１の作用について詳述する。この立体地図装置１は、視力が弱い者による使用を想定している。使用者は、介助者の助けを借りて、指で第１出入口７ａを触る。第１出入口７ａの近傍には操作部材Ｐ１が設けられており、使用者がこの操作部材Ｐ１に触れることで、「第１出入口です」という音声情報が電子機器４９から出力される。さらに、使用者が第１出入口７ａの近くを指でなぞると、店舗１１に対応した操作部材Ｐ２，Ｐ３に触れることができる。これにより、電子機器４９から「店舗です」という音声情報が出力される。このため、使用者は、第１出入口７ａの近くに店舗１１があることを学習することができる。
【００２４】
使用者は、点字ブロックを模した帯状凸部材５１を触りながら、駅構内の施設の配置を学習する。例えば、下層自由通路９ａには、在来線出入口１５の模型が設けられており、その近傍に操作部材Ｐ４が配置されている。使用者がその操作部材Ｐ４に触れると「在来線入口です」という音声情報が電子機器４９から出力される。また、下層階３ａと上層階４ａとの間に設けられた連絡階段５の近傍にも操作部材Ｐ１３が配置されている。このため、使用者がこの操作部材Ｐ１３に触れると「上層階への登り階段です」という音声情報が電子機器４９から出力される。以上と同様に、立体地図３には各施設や特異な地形に対応する位置に操作部材が設けられている。そして、各操作部材に触れることで、それらの施設等の位置と種類を学習することができる。このため、事前にこの立体地図装置１で学習することで、視力が弱い者が初めて訪れる場所であっても、施設内を円滑に歩行することができる。
【符号の説明】
【００２５】
１  立体地図装置
３  立体地図
Ｐ１からＰ１６  操作部材
４５  制御回路
４９  電子機器
【図１】
2019139112.tif 000003
【図２】
2019139112.tif 000004
【図３】
2019139112.tif 000005
【図４】
2019139112.tif 000006